(57)【特許請求の範囲】
【請求項１】
放電管の外周面を被覆する電極を有する外部電極放電ランプの前記電極に取り付けられる１枚の金属製板材からなる外部電極放電ランプ用給電端子であって、
前記電極の外周面の周方向に沿って１巻きを超えて、径方向に重複することなく巻回され、且つ、前記周方向に関する一端付近と他端付近とが軸方向に並列している巻回部と、
前記巻回部の前記一端に連結されており、前記外周面から離れる方向に延在した第１の突出部と、
前記巻回部の前記他端に連結されており、前記外周面から離れる方向に延在した第２の突出部と
を備えていることを特徴とする外部電極放電ランプ用給電端子。
【請求項２】
前記巻回部の前記一端付近が軸方向に離隔した互いに平行な２つの領域に分割されていると共に、前記巻回部の前記他端付近が、前記２つの領域の間をこれらと平行に延在しており、
前記第１の突出部が、前記２つの領域に連結された２つの脚部と、これら２つの脚部を互いに連結する連結部とを有していることを特徴とする請求項１に記載の外部電極放電ランプ用給電端子。
【請求項３】
前記巻回部の前記他端付近が軸方向に離隔した互いに平行な２つの領域に分割されていると共に、前記巻回部の前記一端付近が、前記２つの領域の間をこれらと平行に延在しており、
前記２つの領域に連結された２つの前記第２の突出部が設けられていることを特徴とする請求項１に記載の外部電極放電ランプ用給電端子。
【請求項４】
前記巻回部に、前記周方向に延在するスリットが形成されていることを特徴とする請求項１〜３の何れか１項に記載の外部電極放電ランプ用給電端子。
【請求項５】
放電管の外周面を被覆する電極を有する外部電極放電ランプと、前記電極に取り付けられる１枚の金属製板材からなる外部電極放電ランプ用給電端子と、を備える光源装置であって、
前記外部電極放電ランプ用給電端子が、
前記電極の前記外周面の周方向に沿って１巻きを超えて、径方向に重複することなく巻回され、且つ、前記周方向に関する一端付近と他端付近とが軸方向に並列している巻回部と、
前記周方向に関する前記巻回部の一端に連結されており、前記外周面から離れる方向に延在した第１の突出部と、
前記周方向に関する前記巻回部の他端に連結されており、前記外周面から離れる方向に延在した第２の突出部と
を備えていることを特徴とする光源装置。 
【発明の詳細な説明】
【技術分野】
【０００１】
本発明は、外部電極放電ランプの電極に取り付けられる外部電極放電ランプ用給電端子、及び、この外部電極放電ランプ用給電端子を用いた光源装置に関する。
【背景技術】
【０００２】
従来から、液晶ディスプレイのバックライトや、スキャナーの原稿読取用光源、さらには照明用光源などに外部電極放電ランプが用いられている。この外部電極放電ランプは、水銀等の放電ガスが封入された長筒状の放電管と、放電管の両端部の外周面を被覆する電極とを備えており、電極としては、銅テープやアルミニウムテープなどの金属テープ、又は、銀ペースト等の導電性ペースト等が用いられている。放電管の両端部の電極に高周波高電圧を印加すると、放電管内で放電が発生し、外部電極放電ランプが点灯するようになっている。
【０００３】
また、電極を電源に接続するために、電極の外周面には給電端子が取り付けられる場合がある。このような給電端子としては、様々なものが提案されている。
【０００４】
例えば、特許文献１及び特許文献２に開示されている給電端子は、電極の表面を両側から挟みこむ形状に形成され、電極の外周面に少なくとも２点以上で接触する。この給電端子は、予め電源装置に固定されており、給電端子に外部電極放電ランプの端部を嵌め込むことにより、給電端子と電極とが接続される。
【０００５】
また、特許文献３に開示されている給電端子は、外部電極放電ランプの端部の外形に適合する凹部を有しており、この凹部に外部電極放電ランプの端部が収納されることにより、電極と給電端子が接続される。また、給電端子と電極の外周面とを密着させるために、給電端子と電極の外周面との隙間には、導電性ペーストが充填されている。また、特許文献３の給電端子は、給電機能に加えて、電極の熱を放散させる機能も有している。
【０００６】
また、特許文献４には、給電端子を兼ねた電極が開示されている。この電極は、放電管の両端部の外周面に導電性粘着剤を介して貼り付けられた金属テープと、この金属テープの外周面に取り付けられた金属製の筒部材と、この筒部材の一部に設けられた支持具とを備えている。支持具には、機器等へ固定するため孔が形成されている。また、筒部材は、周方向の一部にスリットを有している。筒部材と放電管の外周面との間に、導電性粘着剤が付着された金属テープが介在することにより、筒部材を放電管の両端部に取り付けた後で、筒部材をその周方向及び軸方向に関して微妙に位置調整することができる。
【０００７】
【特許文献１】特開２００６−１４７２９８号公報
【特許文献２】特開２００６−２８６４４８号公報（図２）
【特許文献３】特許第３４９４０９０号公報
【特許文献４】特許第３９２７１０７号公報（図６）
【発明の開示】
【発明が解決しようとする課題】
【０００８】
しかしながら、特許文献１、２の給電端子は、電極の外周面を両側から挟み込む形状であるため、電極との接触面積が小さく、また締め付け力も十分でないため、電気的接続が不安定である。
【０００９】
また、特許文献３の給電端子を電極に取り付ける際、給電端子と電極の外周面との隙間にペースト状の導電性ペーストを充填した後、乾燥させて硬化させる必要があるため、取り付けに手間と時間を要する。また、導電性ペーストは硬化すると若干収縮するため、硬化後の導電性ペーストと、給電端子及び電極の外周面との間に僅かな隙間が生じる。そのため、給電端子と電極の間の電気抵抗が高くなる。
【００１０】
また、特許文献４の給電端子を兼ねた電極の場合、筒部材を、放電管の外周面に貼り付けられた金属テープの外周面に密着させて装着するのは困難である。
【００１１】
そこで、本発明の目的は、電極との接触性が良好で、且つ、電極に簡易に取り付けることのできる外部電極放電ランプ用給電端子、及び、この外部電極放電ランプ用給電端子を用いた光源装置を提供することである。
【課題を解決するための手段及び発明の効果】
【００１４】
本発明の外部電極放電ランプ用給電端子は、放電管の外周面を被覆する電極を有する外部電極放電ランプの前記電極に取り付けられる１枚の金属製板材からなる外部電極放電ランプ用給電端子であって、前記電極の外周面の周方向に沿って１巻きを超えて、径方向に重複することなく巻回され、且つ、前記周方向に関する一端付近と他端付近とが軸方向に並列している巻回部と、前記巻回部の前記一端に連結されており、前記外周面から離れる方向に延在した第１の突出部と、前記巻回部の前記他端に連結されており、前記外周面から離れる方向に延在した第２の突出部とを備えている。 
【００１５】
本発明の外部電極放電ランプ用給電端子によれば、電極の外周面から離れる方向に延在する第１の突出部及び第２の突出部の一方を、電源装置等に取り付けることにより、電極を電源に電気的に接続することができる。また、給電端子を電極の外周面に取り付ける際には、第１の突出部と第２の突出部に指を掛けて、両突出部に力を加えて、巻回部を拡径させる。この状態で、巻回部の内側に、放電管の端部を挿入して、突出部に加えていた力を解放して、巻回部を縮径させて、縮径方向の復元力によって巻回部を電極の外周面に密着させる。このように、巻回部の周方向の両端部にそれぞれ連結された第１の突出部と第２の突出部を用いることにより、給電端子を電極の外周面に簡易に取り付けることができる。また、巻回部の縮径方向の復元力（バネ力）によって電極の外周面に確実に密着するため、給電端子と電極とは電気的に安定して接続される。さらに、巻回部の一端付近と他端付近とは、径方向に関して重複することなく軸方向に並列しているので、巻回部は電極の外周面に１周にわたって密着しており、電極の外周面に作用する巻回部のバネ力は均一となる。
【００１６】
前記巻回部の前記一端付近が軸方向に離隔した互いに平行な２つの領域に分割されていると共に、前記巻回部の前記他端付近が、前記２つの領域の間をこれらと平行に延在しており、前記第１の突出部が、前記２つの領域に連結された２つの脚部と、これら２つの脚部を互いに連結する連結部とを有してもよい。
【００１７】
この構成によると、巻回部の両端付近には、軸方向に離隔した互いに平行な２つの領域と、これら２つの領域の間を延在する領域がそれぞれ形成されている。そのため、巻回部の両端部にそれぞれ連結された突出部を互いに近づけることにより、巻回部を軸方向に関してほぼ均一に拡径することができる。従って、電極の外周面に作用する巻回部のバネ圧を均一化することができる。
さらに、第１の突出部及び第２の突出部は、それぞれ１つずつ設けられることとなるため、巻回部を拡径する際、両突出部に指を掛けやすく、力を加えやすい。従って、給電端子を電極の外周面に取り付けやすい。
【００１８】
また、前記巻回部の前記他端付近が軸方向に離隔した互いに平行な２つの領域に分割されていると共に、前記巻回部の前記一端付近が、前記２つの領域の間をこれらと平行に延在しており、前記２つの領域に連結された２つの前記第２の突出部が設けられていてもよい。
【００１９】
この構成によると、巻回部の両端付近には、軸方向に離隔した互いに平行な２つの領域と、これら２つの領域の間を延在する領域がそれぞれ形成されている。そのため、巻回部の両端部にそれぞれ連結された突出部を互いに近づけることにより、巻回部を軸方向に関してほぼ均一に拡径することができる。従って、電極の外周面に作用する巻回部のバネ圧を均一化することができる。
【００２０】
さらに、前記巻回部に、前記周方向に延在するスリットが形成されていてもよい。この構成によると、電極に対して巻回部全体にわたってバネ圧（荷重）をより均一にできる。
【００２１】
本発明の光源装置は、放電管の外周面を被覆する電極を有する外部電極放電ランプと、前記電極に取り付けられる１枚の金属製板材からなる外部電極放電ランプ用給電端子と、を備える光源装置であって、前記外部電極放電ランプ用給電端子が、前記電極の前記外周面の周方向に沿って１巻きを超えて、径方向に重複することなく巻回され、且つ、前記周方向に関する一端付近と他端付近とが軸方向に並列している巻回部と、前記周方向に関する前記巻回部の一端に連結されており、前記外周面から離れる方向に延在した第１の突出部と、前記周方向に関する前記巻回部の他端に連結されており、前記外周面から離れる方向に延在した第２の突出部とを備えている。 
【００２２】
本発明の光源装置によれば、電極の外周面から離れる方向に延在する第１の突出部及び第２の突出部の一方を、電源装置等に取り付けることにより、電極を電源に電気的に接続することができる。また、給電端子を電極の外周面に取り付ける際には、第１の突出部と第２の突出部に指を掛けて、両突出部に力を加えて、巻回部を拡径させる。この状態で、巻回部の内側に、放電管の端部を挿入して、突出部に加えていた力を解放して、巻回部を縮径させて、縮径方向の復元力によって巻回部を電極の外周面に密着させる。このように、巻回部の周方向の両端部にそれぞれ連結された第１の突出部と第２の突出部を用いることにより、給電端子を電極の外周面に簡易に取り付けることができる。また、巻回部の縮径方向の復元力（バネ力）によって電極の外周面に確実に密着するため、給電端子と電極とは電気的に安定して接続される。さらに、巻回部は径方向に関して重複することなく巻回されているので、巻回部は電極の外周面に１周にわたって密着しており、電極の外周面に作用する巻回部のバネ力は均一となる。
【発明を実施するための最良の形態】
【００２３】
＜第１実施形態＞
以下、本発明の第１実施形態について説明する。図１は、第１実施形態の光源装置の概略を示す図である。図２は、図１のII−II線に沿った断面図である。図３は、第１実施形態の光源装置に用いられる外部電極放電ランプ用給電端子の斜視図である。
【００２４】
図１に示すように、本実施形態の光源装置１は、外部電極放電ランプ２と、この外部電極放電ランプ２の後述する電極４に取り付けられている外部電極放電ランプ用給電端子（以下、単に給電端子という）５と、この給電端子５を介して電極４に接続されているインバータ電源９とを備えている。
【００２５】
外部電極放電ランプ２は、放電管３と、放電管３の長手方向（図１の左右方向）の両端部近傍の外周面を被覆する２つの電極４を有する。図１及び図２に示すように、放電管３は、図１中左右方向に延在した円筒形状のガラス管であって、その両端が封止されている。なお、放電管３を構成する材料は、特にガラスに限定されるものではなく、石英ガラスのように光を通過するものであれば他の材料を用いてもよい。
【００２６】
放電管３の内部の空間には、例えば、アルゴンガス等の希ガスと水銀蒸気等の金属蒸気との混合ガスを含む放電ガスが、例えば１〜６０Ｔｏｒｒの低圧で封入されている。放電ガスには、必要に応じて、添加剤が加えられる。
【００２７】
また、放電管３の内壁面には、必要に応じて、例えば数μｍから数十μｍの厚さの蛍光体層（図示省略）が形成されている。蛍光体層としては、紫外線を可視光領域内の広範囲な波長領域の光に交換するものが用いられるが、光源装置１の用途によっては、可視光領域内に限らない特定の波長領域の光に変換するものを用いてもよい。また、この外部電極放電ランプ２が紫外線を放射する紫外線ランプなどである場合には、蛍光体層を形成しなくてもよい。
【００２８】
放電管３の長手方向の両端部近傍の外周面は、それぞれ層状の電極４で被覆されている。電極４は、例えば、導電性ペースト、又は、銅テープやアルミニウムテープ等の金属テープ等で形成されている。
【００２９】
電極４を導電性ペーストで形成する場合、ペースト状の有機バインダに銀粒子や銅粒子などの導電剤を添加した銀ペーストや銅ペーストなどの導電ペーストを、ディップ法、はけ塗り法、印刷法、蒸着法などの塗付方法によって、放電管３の外周面の所定の位置に、例えば数μｍから数十μｍの厚さ（好適には例えば１０μｍ）に塗布し、乾燥させて固化させる。なお、導電ペーストは、放電管３に対する密着性が高く、紫外線による劣化が少なく、十分に高い導電性が得られるように考慮して選定すればよく、銀ペーストや銅ペーストに限られず、ニッケルペースト、金ペーストまたはカーボンペーストなどを用いてもよい。
【００３０】
また、電極４を金属テープで形成する場合には、金属テープを放電管３の所定の位置に巻き付ける。
【００３１】
電極４の幅を長く（面積を広く）すると、同電圧でも流れる電流量が増えるため、外部電極放電ランプ２の輝度は増す。しかしながら、外部電極放電ランプ２の発光部分の面積は減っていくため、全光束はある点を境に減少する。そのため、放電管３の長手方向長さ（面積）に対する電極４の幅（面積）は、適切な範囲に設定することが必要である。たとえば、放電管３が、ガラス径９．８ｍｍ、ガラス厚０．５５、軸方向長さ２２５ｍｍで、軟質ガラスの場合、電極４の幅は、１０〜２０ｍｍが適当である。
【００３２】
電極４の外周面には、給電端子５が取り付けられている。図２に示すように、給電端子５は、巻回部１０と、第１の突出部１１と、第２の突出部１２とから構成されている。
【００３３】
給電端子５は、１枚の金属製板材からなる。金属製板材の材料としては、電気伝導性及び熱伝導性に優れたベリリウム鋼、燐青銅、又は、ステンレス鋼等が挙げられる。また、この金属製板材は、厚みが薄く、剛性が低いものが用いられる。
【００３４】
図２及び図３に示すように、巻回部１０は、電極４の外周面に周方向に沿って１巻きを超えて巻回されている。巻回部１０の周方向に沿った巻回角度は、４５０°以内とすることが好ましい。なお、図２に示すように、本実施形態では、巻回部１０の周方向に沿った巻回角度は４５０°である。また、図１に示すように、巻回部１０の軸方向（図１の左右方向）の長さは、電極４の軸方向長さよりも短く、巻回部１０は電極４の軸方向中央部に取り付けられている。そのため、電極４の軸方向両端部は露出している。また、外部電極放電ランプ２の電極４に取り付けられておらず、外力が作用していない状態の巻回部１０の内径は、電極４の外径よりも若干小さい。そのため、巻回部１０は、そのバネ力によって電極４の外周面に密着している。
【００３５】
巻回部１０の周方向に関する端部１０ａ付近は、軸方向に離隔した２つの領域に分割されている。これら２つの領域を巻端部１３とする。２つの巻端部１３は、周方向に延在しており、それぞれ周方向にわたって軸方向長さが一定である。そのため、２つの巻端部１３は、互いに平行に延在している。
【００３６】
また、巻回部１０の端部１０ａと反対側の端部１０ｂ付近には、軸方向長さの短い巻端部１４が形成されている。巻端部１４の軸方向長さは、周方向にわたって一定である。巻端部１４の周方向長さは、巻端部１３とほぼ同じである。巻端部１４は、２つの巻端部１３の間をこれらと平行に延在している。
【００３７】
第１の突出部１１は、端部１０ａに連結されている。即ち、第１の突出部１１は、２つの巻端部１３に連結されている。第１の突出部１１は、巻回部１０の径方向で、且つ、電極４の外周面から離れる方向に延在している。第１の突出部１１は、２つの巻端部１３にそれぞれ連結された２つの脚部１５と、これら２つの脚部１５を互いに連結する連結部１６を有する。連結部１６は、延在方向に関して軸方向（図１の左右方向）の長さが変化しており、先端側の軸方向長さが、脚部１５側の軸方向長さよりも短い。また、連結部１６の先端側には、その厚み方向に貫通する円形穴１１ａが形成されている。円形穴１１ａは、後述する外部電源接続端子７に給電端子５を取り付けた際、給電素子５の抜け止めとして作用するものである。
【００３８】
また、第２の突出部１２は、端部１０ｂに連結されている。即ち、第２の突出部１２は、巻端部１４に連結されている。第２の突出部１２は、巻回部１０の径方向で、且つ、電極４の外周面から離れる方向に延在している。第２の突出部１２の延在方向の長さ（突出量）は、第１の突出部１１の延在方向の長さよりも短い。
【００３９】
また、給電端子５は、１枚の金属製板材を用いて以下の手順で形成される。図４に示すように、平坦な長方形状の１枚の金属製板材の長手方向（図４の上下方向）の両端部のそれぞれの角部を切り落とし、連結部１６の先端部分と、第２の突出部１２と巻端部１４になる部分をそれぞれ形成する。さらに、連結部１６近傍に長手方向に延在するスリットを形成する。これにより、第１の突出部１１の脚部１５と巻端部１３になる部分が形成される。次に、図４中破線で示した２ヶ所の位置１０a、１０ｂでそれぞれ垂直に同じ方向に折り曲げて、第１の突出部１１と第２の突出部１２を形成する。そして、折り曲げられた２ヶ所の間の領域を、芯材に１巻きを超えて巻き付けて湾曲させて、巻回部１０を形成する。なお、給電端子５の作製手順は、特に上記の手順に限定されるものではない。
【００４０】
給電端子５を電極４の外周面に取り付ける際には、第１の突出部１１と第２の突出部１２に指を掛けて、第１の突出部１１と第２の突出部１２とを近づける方向（図３中の矢印方向）に力を加えて、巻回部１０を拡径させる。この状態で、巻回部１０の内側に、放電管３の端部を挿入してから、突出部１１、１２に加えていた力を解放し、巻回部１０を縮径させる。そして、巻回部１０の縮径方向の復元力によって巻回部１０を電極４の外周面に密着させる。このように、巻回部１０の両端部１０ａ、１０ｂにそれぞれ連結された第１の突出部１１と第２の突出部１２を用いることにより、給電端子５を電極４の外周面に簡易に取り付けることができる。また、巻回部１０の縮径方向の復元力（バネ力）によって電極４の外周面に確実に密着するため、給電端子５と電極４とは電気的に安定して接続される。
【００４１】
また、巻回部１０は、電極４の外周面の周方向に沿って１巻きを超えて巻回されており、電極４の外周面に全周にわたって密着するため、電極４の外周面を左右両側から挟み込む形状の給電端子と比べて、電極４との接触面積は大きい。そのため、電極４に安定して大電流を流すことができる。また、電極４との給電端子５との接触面積が大きいため、電極４に高電圧を印加した際に電極４に発生する熱をより放散させることができる。
【００４２】
上述したように、巻回部１０の両端部１０ａ、１０ｂ付近には、軸方向に離隔した互いに平行な２つの巻端部１３と、これら２つの巻端部１３の間を延在する巻端部１４がそれぞれ形成されている。そのため、これら両端部１０ａ、１０ｂにそれぞれ連結された突出部１１、１２を互いに近づけることにより、巻回部１０を軸方向に関してほぼ均一に拡径することができる。従って、電極４の外周面に作用する巻回部１０のバネ圧を均一化することができる。特に、本実施形態のように、巻回部１０の周方向に関する両端部付近（巻端部１３、１４）が、径方向に関して重複することなく軸方向に並列していることによって、巻回部１０は電極４の外周面に１周にわたって密着するため、電極４の外周面に作用する巻回部のバネ力を均一にすることができる。
【００４３】
また、上述したように巻回部１０の巻回角度が４５０°以内であることにより、巻回部１０を拡径する際、第１の突出部１１と第２の突出部１２に指を掛けやすく、また力を加えやすい。
【００４４】
また、第１の突出部１１及び第２の突出部１２は、それぞれ１つの部材で構成されているため、巻回部１０を拡径する際、第１の突出部１１と第２の突出部１２に指をかけやすく、力を加えやすい。また、巻回部１０の拡径量は、軸方向にわたって一定となる。そのため、巻回部１０を電極４の外周面に装着しやすい。
【００４５】
なお、図１に示すように、巻回部１０の外周全域と、電極４の外周面の軸方向両端部の露出部分と、放電管３の外周面のうち電極４に近接する露出部分は、絶縁性の被覆材６で被覆されている。これにより、電極４に高電圧を印加した際、放電管３の外周面のうち電極４に近接する露出部分と電極４の軸方向両端部との境界部分で発生するコロナ放電を抑えることができ、コロナ放電によるオゾンの発生を低減することができる。なお、被覆材６は、巻回部１０の軸方向両端部と、電極４の外周面の軸方向両端部の露出部分と、放電管３の外周面のうち電極４の軸方向両端部にそれぞれ近接する露出部分とだけを被覆するように設けてもよい。
【００４６】
また、図５に示すように、第１の突出部１１は、基板８上に設けられた箱状の外部電源接続端子７に挿着される。このとき、外部電源接続端子７に設けられた凸部（図示省略）と第１の突出部１１に形成された円形穴１１ａが嵌合し、給電端子５の抜け防止の役目を果たす。外部電源接続端子７は、インバータ電源９と接続されている。そのため、第１の突出部１１を外部電源接続端子７に挿着することにより、電極４はインバータ電源９と接続される。このように、第１の突出部１１は、電極４と外部電源接続端子７との間の電気的接続のために用いられる。なお、図５では、被覆材６を省略して表示している。
【００４７】
インバータ電源９は、例えば商用電源を整流して得られるＤＣ電源あるいは、電池電源などから供給される直流電源（例えば直流８Ｖ電源）を４０〜１００ｋＨｚ、電圧２０００Ｖの高周波高電圧に変換する電源回路である。
【００４８】
インバータ電源９から給電端子５を介して、電極４に高周波高電圧が印加されると、電極４の内側のガラス（放電管３）の壁を介して、放電管３内に高周波電流が供給される。これにより、放電管３内で放電現象が生じて、外部電極放電ランプ２が発光する。このとき、放電管３と電極４、及び、電極４と巻回部１０とは密着しているので、これらの間にギャップが生じたり、ポイント的に接触することにより局所的な放電が発生するおそれが生じない。
【００４９】
なお、本実施形態の給電端子５に代えて、図６に示すように、巻回部１０の周方向の中央部に周方向に延びるスリット１０ｃが形成された給電端子１０５を用いてもよい。スリットを設けない給電端子５の場合、巻回部１０と電極４の外周面との接触面積が大きくでき、電気的接触や放熱の点で有用である。但し、スリットを設けないことにより、巻回部１０の剛性が高くなり、電極４の外周面に作用する巻回部１０のバネ圧（荷重）が不均一になる場合がある。一方、スリット１０ｃを形成された給電端子１０５の場合、電極４との接触面積は低減されてしまうが、スリット１０ｃの形成により、巻端部１３、１４を含む巻回部１０全体において電極４の外周面に作用するバネ圧（荷重）をより均一にできる。この場合、スリット１０ｃの形成によりバネ圧（荷重）が低くなるが、金属製板材の厚みを変更することにより調整が可能である。
【００５０】
＜第２実施形態＞
次に、本発明の第２実施形態について説明する。図７は、第２実施形態の光源装置に用いられる給電端子の斜視図である。なお、本実施形態の光源装置は、給電端子が異なるだけで、それ以外（外部電極放電ランプ２の構成）は、第１実施形態と同様である。したがって、第１実施形態と同様なものは同一の符号で示し、その説明を省略する。
【００５１】
図７に示すように、本実施形態の給電端子２０５は、巻回部２１０と、第１の突出部２１１と、２つの第２の突出部２１２とを備える。給電端子２０５は、第１実施形態の給電端子５と同じく１枚の金属製板材から形成されている。
【００５２】
巻回部２１０は、電極４の外周面の周方向に沿って１巻きを超えて巻回されている。巻回部２１０の軸方向長さ、無負荷状態での内径、及び、取り付け位置は、第１実施形態の巻回部１０と同じである。また、巻回部２１０の巻回角度は、第１実施形態と同様に、４５０°以内とすることが好ましく、本実施形態では、４２０°となっている。また、巻回部２１０の周方向の中央部には、周方向に延びたスリット２１０ｃが形成されている。なお、図示しないが、電極４との接触面積が大きくできる点では、第１実施形態の給電端子５と同様にスリットのない方が好ましい。
【００５３】
巻回部２１０の周方向に関する端部２１０ａ付近には、軸方向長さの短い巻端部２１７が形成されている。巻端部２１７は、周方向に沿って延在しており、巻端部２１７の軸方向長さは、周方向にわたって一定である。
【００５４】
巻回部２１０の端部２１０ａの反対側の端部２１０ｂ付近は、軸方向に離隔した２つの領域に分割されている。これら２つの領域を巻端部２１８とする。これら２つの巻端部２１８は、周方向に延在しており、それぞれ周方向にわたって軸方向長さが一定である。そのため、２つの巻端部２１８は、互いに平行に延在している。また、巻端部２１８の周方向長さは、巻端部２１７とほぼ同じである。２つの巻端部２１８の間には、巻端部２１７がこれらと平行に延在している。
【００５５】
第１の突出部２１１は、端部２１０ａに連結されている。即ち、第１の突出部２１１は、巻端部２１７に連結されている。第１の突出部２１１は、巻回部２１０の径方向で、且つ、電極４の外周面から離れる方向に延在している。第１の突出部２１１には、外部電源接続端子７に固定するための円形穴２１１ａが形成されている。
【００５６】
２つの第２の突出部２１２は、端部２１０ｂに連結されている。２つの第２の突出部２１２は、２つの巻端部２１８にそれぞれ連結されている。２つの第２の突出部２１２は、巻回部２１０の径方向で、且つ、電極４の外周面から離れる方向にそれぞれ延在している。第２の突出部２１２の延在方向の長さ（突出量）は、第１の突出部２１１の延在方向の長さよりも短い。
【００５７】
給電端子２０５は、１枚の金属製板材を用いて以下の手順で形成される。図８に示すように、平坦な長方形状の１枚の金属製板材の長手方向（図８の上下方向）の両端部のそれぞれの角部を切り落とし、第１の突出部２１１と巻端部２１７になる部分と、第２の突出部２１２と巻端部２１８になる部分とをそれぞれ形成する。さらに、長手方向の略中央部にスリット２１０ｃを形成する。次に、図８中破線で示した２ヶ所の位置２１０ａ、２１０ｂでそれぞれ垂直に同じ方向に折り曲げて、第１の突出部２１１と第２の突出部２１２を形成する。そして、折り曲げられた２ヶ所の間の領域を、芯材に１巻きを超えて巻き付けて湾曲させて、巻回部２１０を形成する。
【００５８】
給電端子２０５を電極４の外周面に取り付ける際には、第１実施形態の給電端子５と同様に、第１の突出部２１１と第２の突出部２１２に指を掛けて、図６中の矢印方向に力を加えて、巻回部２１０を拡径させる。この状態で、巻回部２１０の内側に、放電管３の端部を挿入してから、突出部２１１、２１２に加えていた力を解放し、巻回部２１０の縮径方向の復元力によって、巻回部２１０を電極４の外周面に密着させる。このように、第１の突出部２１１と第２の突出部２１２を用いることにより、給電端子２０５を電極４の外周面に簡易に取り付けることができる。また、巻回部１０の縮径方向の復元力（バネ力）によって電極４の外周面に確実に密着するため、給電端子５と電極４とは電気的に安定して接続される。
【００５９】
第１実施形態の第１の突出部１１は、軸方向に離隔した２つの巻端部１３に連結されており、２つの脚部１５を有する。脚部１５の延在方向（巻回部１０の径方向）に関する長さが短すぎると、即ち、２つの脚部１５の間の空間の長さが短すぎると、１枚の金属製板材を芯材に１巻きを超えて巻き付けて湾曲させる際、及び、給電端子５としての使用時に巻回部１０を拡径する際、巻端部１４の外周面が連結部１６と当接し、巻回部１０をそれ以上拡径することができなくなる。そのため、脚部１５の延在方向長さは、ある程度必要であり、第１の突出部１１の全長も長くなる。一方、本実施形態の第１の突出部２１１は、上述したように脚部１５の長さを確保する必要がない。そのため、第１の突出部２１１の延在方向長さは、第１実施形態の第１の突出部１１よりも短くすることができる。従って、給電端子５により基板８に設置された状態での外部電極放電ランプ２の基板８からの高さも低くすることができるため、光源装置１を小型化できる。
【００６０】
なお、第２実施形態の給電端子２０５では、２つの第２の突出部２１２が設けられているが、２つの第２の突出部２１２をその延在方向に延長させて、先端部分において連結してもよい。これにより、第２の突出部２１２が１つの部材で構成されることとなるため、巻回部２１０を拡径する際、第２の突出部２１２に指をかけやすく、また、巻回部２１０を軸方向に関してほぼ均一に拡径することができる。
【図面の簡単な説明】
【００６１】
【図１】本発明の第１実施形態の光源装置の概略を示す図である。
【図２】図１のII−II線に沿った断面図である。
【図３】第１実施形態の外部電極放電ランプ用給電端子の斜視図である。
【図４】外部電極放電ランプ用給電端子を構成する金属製板材の平面図である。
【図５】外部電極放電ランプ用給電端子の使用状況を示す斜視図である。
【図６】第１実施形態の外部電極放電ランプ用給電端子の他の例を示す斜視図である。
【図７】第２実施形態の外部電極放電ランプ用給電端子の斜視図である。
【図８】第２実施形態の外部電極放電ランプ用給電端子を構成する金属製板材の平面図である。
【符号の説明】
【００６２】
１  光源装置
２  外部電極放電ランプ
３  放電管
４  電極
５、２０５  給電端子
１０、２１０  巻回部
１０ａ、２１０ａ  端部（一端）
１０ｂ、２１０ｂ  端部（他端）
１０ｃ、２１０ｃ  スリット
１１、２１１  第１の突出部
１２、２１２  第２の突出部
１５  脚部
１６  連結部
【図１】
0005111188.tif 000002
【図２】
0005111188.tif 000003
【図３】
0005111188.tif 000004
【図４】
0005111188.tif 000005
【図５】
0005111188.tif 000006
【図６】
0005111188.tif 000007
【図７】
0005111188.tif 000008
【図８】
0005111188.tif 000009